(57)【特許請求の範囲】
【請求項１】
第１舌板が設けられる第１相手口と、第２舌板が設けられる第２相手口とを有する絶縁性本体と、
前記絶縁性本体の第１、第２相手口に固着される複数の第１、第２端子と、を備え、
前記第１端子が複数の第１弾力端子及び複数の第１付加端子を含み、
各前記第１弾力端子が前記第１舌板に露出される弾性的な第１接触部と、絶縁性本体に固着される第１固持部と、前記絶縁性本体から延出する第１半田接続部とを有し、
前記第１付加端子が、前記第１舌板に露出される板状の第１相手部と、前記絶縁性本体に固着される第１固定部と、前記絶縁性本体から延出する第１半田接続部とを有し、
前記第１付加端子の板状の第１相手部と前記第１弾力端子の第１接触部とは、第１舌板の長さに沿って二列に配置されることを特徴とするソケットコネクタ。
【請求項２】
前記第２舌板の寸法は、標準のＵＳＢ２．０Ａ型のソケットコネクタの対応する舌板の寸法と略同一であることを特徴とする請求項１に記載のソケットコネクタ。
【請求項３】
前記第１舌板には、複数の第１端子溝が形成される上表面と、複数の凹溝が形成される下表面とを含み、前記第１付加端子の第１固定部が第１端子溝に収納され、第１相手部が凹溝と係合することを特徴とする請求項１に記載のソケットコネクタ。
【請求項４】
前記第１舌板の下表面には、前記絶縁性本体を貫通し第１弾力端子を収納するための複数の第２端子溝が形成され、該第２端子溝と前記凹溝が前記第１舌板の前後に沿って交互に配置され、前記第１弾力端子の第１接触部が前記第１舌板の下表面から突出することを特徴とする請求項３に記載のソケットコネクタ。
【請求項５】
前記第１付加端子は両対の第１差分信号端子と、前記一方の一対および他方の一対の第１差分信号端子の間に配置される接地端子とを含み、前記両対の第１差分信号端子と前記接地端子は前記第１舌板の幅に沿って並列に配置されることを特徴とする請求項１に記載のソケットコネクタ。
【請求項６】
前記第２相手口には第２舌板が設けられ、前記第２端子が前記第２舌板に配置される第２相手部を有することを特徴とする請求項１に記載のソケットコネクタ。
【請求項７】
前記絶縁性本体は、前記第１、第２舌板の両側に設けられる一対の側壁を有し、前記第２相手口の横方向に沿う幅が前記第１相手口の幅より大きいことを特徴とする請求項６に記載のソケットコネクタ。
【請求項８】
前記第２相手口には、前記第２端子を収納するための複数の端子孔が形成される凸柱が設けられることを特徴とする請求項７に記載のソケットコネクタ。
【請求項９】
前記第１、第２相手口には、それぞれ相手コネクタに対応するための相手面が形成され、前記第２相手口の相手面が前記第１相手口の相手面より突出し、前記第２相手口には前記第２端子を収納するための端子孔が形成されることを特徴とする請求項１に記載のソケットコネクタ。
【請求項１０】
前記ソケットコネクタは第３相手口を含み、前記第１相手口の構造と前記第３相手口の構造が同一であることを特徴とする請求項１に記載のソケットコネクタ。
【発明の詳細な説明】
【技術分野】
【０００１】
本発明は、電気コネクタに関し、特に、ＵＳＢ（Ｕｎｉｖｅｒｓａｌ  Ｓｅｒｉａｌ  Ｂｕｓ）標準に適合したソケットコネクタに関するものである。
【背景技術】
【０００２】
従来技術のＵＳＢコネクタは、プラグとソケットとを具備する。プラグには、ケブールと該ケブールを被覆する絶縁本体とを有する。該絶縁本体は、舌片と、舌片に装着される四つのプラグ端子と、前記舌片とプラグ端子とを被覆するハウジングとを備える。舌片の上表面とハウジングの間には、ソケットの舌片を収納ための収納孔が形成される。プラグ端子は、パワー端子と、負信号端子と、正信号端子と、接地端子とを含む。ソケットは舌片と、舌片の下表面に実装される四つのソケット端子と、ハウジングとを備える、前記ソケット端子はパワー端子と、負信号端子と、正信号端子と、接地端子とを含む。舌片の下表面とハウジングの間には、プラグの舌片を収納ための収納孔が形成される。プラグがソケットと連接する時、ソケット端子がプラグ端子と電気接続する。
【発明の開示】
【発明が解決しようとする課題】
【０００３】
信号を転送する速度を高めるため、通常の端子に複数の端子を増加する必要がある。同時に、通常のＵＳＢコネクタが占めるスペースを増加させないことが求められる。
【０００４】
そこで本発明の目的は、信号を転送する速度を高めるソケットコネクタを提供することにある。
【課題を解決するための手段】
【０００５】
前記目的を達成するために、本発明のソケットコネクタは、第１舌板が設けられる第１相手口と、第２舌板が設けられる第２相手口とを有する絶縁性本体と、前記絶縁性本体の第１、第２相手口に固着される複数の第１、第２端子とを備える。前記第１端子が複数の第１弾力端子及び複数の第１付加端子を含み、各第１弾力端子が前記第１舌板に露出される弾性的な第１接触部と、絶縁性本体に固着される第１固持部と、絶縁性本体から延出する第１半田接続部とを有し、第１付加端子が、第１舌板に露出される板状の第１相手部と、絶縁性本体に固着される第１固定部と、絶縁性本体から延出する第１半田接続部とを有し、前記第１付加端子の板状の第１相手部と第１弾力端子の第１接触部とは、第１舌板の長さに沿って二列に配置される。
【発明の効果】
【０００６】
従来の技術に比べると、本発明は以下の長所がある。本発明のソケットコネクタには、複数の差分信号端子が増加される。これにより、信号を転送する速度が高められる。
【発明を実施するための最良の形態】
【０００７】
図１〜図５を参照すると、本発明のソケットコネクタは、ＵＳＢプラグコネクタ（図示せず）と連接されるＵＳＢソケットコネクタ１００である。該ソケットコネクタ１００は、絶縁性本体１と、該絶縁性本体１に挿入される複数の端子と、端子を位置決めするための定位部材４と、絶縁性本体１に被覆する蓋体３とを備える。
【０００８】
絶縁性本体１は、第１本体部１０と、該第１本体部１０に装着される第２本体部１１とを備える。第１本体部１０は、頂壁１０４と、底壁１０５と、一対の側壁１０６と、前記壁１０４〜１０６によって包囲される収納スペース（標号示さず）とを有する。頂壁１０４と底壁１０５の間には中間板１０３が設けられる。前記収納スペースは、中間板１０３によって、一対の第１相手口１０１が形成される。各第１相手口１０１には、第１舌板１０２が設けられる。第１舌板１０２は、複数の第１端子溝１０２３が形成される上表面１０２１と、複数の第２端子溝１０２５と凹溝１０２４とが形成される下表面１０２２とを有する。第２端子溝１０２５と凹溝１０２４とは第１舌板の１０前後に沿って交互に配置される。側壁１０６には、複数のスロット１０６１が形成される。底壁１０５には、突出部１０５１と、突出部１０５１の両側に配置される一対のショルダー１０５２とが設けられる。
【０００９】
第２本体部１１は、底壁１１０と、一対の側壁１１１と、第２舌板１１３と、前記底壁１１０と側壁１１１によって形成される第２相手口１１２とを有する。側壁１１１の前端には、嵌合部１１４が第２相手口１１２の上に形成される。各側壁１１１の内側には、導入ための複数の導入溝１１１２が形成される。第２舌板１１３は、上表面１１３１と下表面１１３２と、該上、下表面１１３１，１１３２を貫通する複数の第１端子溝１１３３とを有する。各側壁１１１には、ガイド溝１１１０と、凸状部片１１１１とを含む。
【００１０】
図３を参照すると、端子は、第１端子２０及び第２端子２１とを具備する。第１端子２０は、複数の弾力端子２０１と、第１付加端子２０２とを有する。各弾力端子２０１は、第１接触部２０１０と、第１固持部２０１１と、第１半田接続部２０１２とを含む。第１付加端子２０２は、信号を転送ための一対の第１差分信号端子２０２０と、信号を受けための他方の一対第１差分信号端子２０２０と、一方の一対と他方の一対の第１差分信号端子２０２０の間に配置される接地端子２０２１とを有する。各第１差分信号端子２０２０は、板状の第１相手部２０２２と、第１固定部２０２４と、第１半田接続部２０２５とを含む。接地端子２０２１の構造は第１差分信号端子２０２０の構造と同一である。接地端子２０１は、板状の第１相手部２０２６と、第１固定部２０２８と、第１半田接続部２０２９とを含む。第２端子２１は、第２接触部２１１と、第２固持部２１０と、第２半田接続部２１２とを有する。
【００１１】
蓋体３は、前蓋体３０と、一対の第１内蓋体３２と、第２内蓋体３３と、後蓋体３１とを備える。前蓋体３０は、前壁３０６と、前壁３０６に形成される三つの貫通孔３０２と、前壁３０６から折り曲げられる一対の側壁３０１とを有する。側壁３０１には、複数の弾力ビーム３０３が設けられる。側壁３０１には、下向きに延在する複数の半田接続脚３０５が設けられる。後蓋体３１は、天壁３１０と、複数の係合部３１２が設けられる折壁３１１とを含む。第１、第２内蓋体３２，３３の前端には、前向きに突出するフランジ３２１，３３２が設けられる。
【００１２】
定位部材４は、階段に形成され、上下に延在する複数の定位溝４１が形成される。
【００１３】
該ソケットコネクタ１００を組み合わせる時、複数の第１端子２０の弾力端子２０１と第１付加端子２０２とは第１本体部１０の第１舌板１０２に固着される。弾力端子２０１が第１舌板１０２の第２端子溝１０２５に挿入される。第１付加端子２０２が第１舌板１０２の第１端子溝１０２３に挿入され、第１相手部２０２２が凹溝１０２４に挿入される。弾力端子２０１の第１固持部２０１１が第２端子溝１０２５に固着され、第１接触部２０１０が第２端子溝１０２５から突出し、第１半田接続部２０１２が絶縁性本体１から延出する。第１付加端子２０２の第１固定部２０２４、２０２８が第１端子溝１０２３に固着され、第１相手部２０２２、２０２６が凹溝１０２４に露出され、第１半田接続部２０２５，２０２９が絶縁性本体１から延出する。両対の第１差分信号端子２０２０と接地端子２０２１は、第１舌板１０２の幅に沿って配置される。第１付加端子２０２が弾力端子２０１と接触しない。一対の第１内蓋体３２が第１本体部１０の一対の第１相手口１０１に装入されて第１舌板１０２を被覆する。
【００１４】
複数の第２端子２１は第２本体部１１の第２舌板１１３の第１端子溝１１３１に固着される。定位部材４は、第２端子２１の下に装着される。第２本体部１１は第１本体部１０の下に実装される。第１本体部１０の突出部１０５１が第２本体部１１の導入溝１１１２に沿って挿入され、ショルダー１０５２が嵌合部１１４に嵌合される。第２内蓋体３３がガイド溝１１１０に沿って第２相手口１１２に装着されて第２舌板１１３を被覆する。
【００１５】
前蓋体３０は第１、第２本体部１０，１１が互いに係合されて製造される絶縁性本体１に実装される。前蓋体３０の弾力ビーム３０３が絶縁性本体１のスロット１０６１に当接し、三つの貫通孔３０２が第１、第２相手口１０１、１１２と対応する。第１、第２内蓋体３２，３３のフランジ３２１，３３２は前蓋体３０と接触して接地する。後蓋体３１は、絶縁性本体１に実装される。後蓋体３１の係合部３１０が前蓋体３０の係合片３０４と係合する。
【００１６】
図６〜７を参照すると、第２実施形態におけるソケットコネクタが第１実施形態におけるソケットコネクタ１００と異なる特徴は、第２実施形態における絶縁性本体５が一体に製造される。且つ、第１実施形態に掲示される第１相手口１０１と相当する第１相手口５０が一つだけを含む。第２相手口５１がＵＳＢ２．０標準の相手口である。該第２相手口５１には、第２舌板５１０が設けられる。第２舌板５１０には、ＵＳＢ２．０標準プラグコネクタと相手ための四つのＵＳＢ２．０標準弾力端子を含む。第２相手口５１は第１相手口５０の上に配置される。
【００１７】
図８〜９を参照すると、第３実施形態におけるソケットコネクタが第１実施形態におけるソケットコネクタ１００と異なる特徴は、第３実施形態における絶縁性本体６が一体に製造される。且つ、第１実施形態に示される第１相手口１０１と相当する第１相手口６０が一つだけを含む。Ｄ型の第２相手口６１がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）相手口である。該第２相手口６１には、第２舌板６１０が設けられる。第２舌板６１０には、ＨＤＭＩプラグコネクタと相手ための複数の板状の第２端子が固持される。
【００１８】
図１０を参照すると、第４実施形態におけるソケットコネクタが第１実施形態におけるソケットコネクタ１００と異なる特徴は、第４実施形態における第１相手口７０が第２相手口７１の下に配置される。第２相手口７１が標準のＤＩＮ相手口である。第２相手口７１には、凸柱７１０が設けられる。凸柱７１０には、絶縁性本体７を貫通する複数の端子収納孔７１１が形成される。該端子収納孔７１１には、相手ＤＩＮコネクタと相手する第２端子が挿入される。
【００１９】
図１１〜１２を参照すると、第５実施形態におけるソケットコネクタが第１形態におけるソケットコネクタ１００と異なる特徴は、第５実施形態における絶縁性本体８は、第１本体部８０、第２本体部８１及び第３本体部８２とを含む。前記第２本体部８１は二つの収納穴８１０を含む。前記第１、第３本体部８０，８２は収納穴８１０に配置される。第１本体部８０には、前向きに突出するＤ型の第２相手口８００が形成される。第２相手口８００が標準のＤ−ＳＵＢ（Ｄ−Ｓｕｂｍｉｎｉａｔｕｒｅ）相手口である。第２相手口８００には、第１本体部８０を貫通する端子孔８０１が形成される。端子溝８０１には、Ｄ−ＳＵＢコネクタと相手ための導電端子８０２が挿入される。第３本体部８２は、第１実施形態に掲示される第１相手口１０１と相同する第１相手口８２０が形成される。即ち、第５実施形態における第１相手口と標準のＤ−ＳＵＢコネクタの相手口とは互いにスタックする。  
【００２０】
図１３を参照すると、第６実施形態におけるソケットコネクタが第１実施形態におけるソケットコネクタ１００と異なる特徴は、第６実施形態における第１相手口９０が絶縁性本体９の下に形成される。第２相手口９１が第１相手口９０の上に配置される。該第２相手口９１がＵＳＢのＢ型相手口である。該第２相手口９１には、第２舌板９１０が設けられる。第２舌板９１０には一対の弾力的な第２端子９１１が配置される。
【００２１】
図１４を参照すると、第７実施形態におけるソケットコネクタが第１実施形態におけるソケットコネクタと異なる特徴は、第７実施形態におけるＤ型の第２相手口がＤｉｓｐｌａｙ  Ｐｏｒｔである。第２舌板には、第２端子が装着される。
【００２２】
図１５を参照すると、第８実施形態におけるソケットコネクタが第１実施形態におけるソケットコネクタと異なる特徴は、第８実施形態における第２相手口の幅と高さは、ＩＥＥＥ１３９４Ａのプラグコネクタの幅より大きい。ＩＥＥＥ１３９４Ａのプラグコネクタは、第２相手口に挿抜できる。
【００２３】
図１６を参照すると、第９実施形態におけるソケットコネクタが第１実施形態におけるソケットコネクタと異なる特徴は、第９実施形態における第２相手口の幅と高さは、ＩＥＥＥ１３９４Ｂのプラグコネクタの幅より大きい。ＩＥＥＥ１３９４Ｂのプラグコネクタは、第２相手口に挿抜できる。
【００２４】
従来のＵＳＢ標準２，０のソケットコネクタには、両対の差分信号端子２３及び接地端子２４が増加される。データを転送する速度が高められる。
【００２５】
以上、本発明について好ましい実施形態を参照して詳細に説明したが、実施形態はあくまでも例示的なものであり、これらに限定されるものではない。また上述の説明は、本発明に基づき成し得る細部の修正、或は変更などは、いずれも本発明の技術的範囲に属するものである。
【図面の簡単な説明】
【００２６】
【図１】本発明の第１実施形態におけるソケットコネクタの組立図である。
【図２】図１に示すソケットコネクタの別の組立図である。
【図３】図１に示すソケットコネクタの分解斜視図である。
【図４】図１に示すソケットコネクタの絶縁性本体の分解斜視図である。
【図５】図１に示すソケットコネクタの絶縁性本体の別の分解斜視図である。
【図６】本発明の第２実施形態に示すソケットコネクタの組立図である。
【図７】図６に示すソケットコネクタの分解斜視図である。
【図８】本発明の第３実施形態におけるソケットコネクタの組立図である。
【図９】図８に示すソケットコネクタの分解斜視図である。
【図１０】本発明の第４実施形態におけるソケットコネクタの組立図である。
【図１１】本発明の第５実施形態におけるソケットコネクタの組立図である。
【図１２】図１１に示すソケットコネクタの分解斜視図である。
【図１３】本発明の第６実施形態におけるソケットコネクタの組立図である。
【図１４】本発明の第７実施形態におけるソケットコネクタの組立図である。
【図１５】本発明の第８実施形態におけるソケットコネクタの組立図である。
【図１６】本発明の第９実施形態におけるソケットコネクタの組立図である。
【符号の説明】
【００２７】
１、５〜９  絶縁性本体
１０  第１本体部
１００  ソケットコネクタ
１０１  第１相手口
１０２  第１舌板
１０２１  上表面
１０２２  下表面
１０２３  第１端子溝
１０２４  凹溝
１０２５  第２端子溝
１０３  中間板
１０４  頂壁
１０５  底壁
１０５１  突出部
１０５２  ショルダー
１０６  側壁
１０６１  スロット
１１  第２本体部
１１０  底壁
１１１  側壁
１１１０  ガイド溝
１１１１  凸状部片
１１１２  導入溝
１１２  第２相手口
１１３  第２舌板
１１３１  上表面
１１３２  下表面
１１３３  第１端子溝
２０  第１端子
２０１  弾力端子
２０１０  第１接触部
２０１１  第１固持部
２０１２  第１半田接続部
２０２  第１付加端子
２０２０  第１差分信号端子
２０２１  接地端子
２０２２、２０２６  第１相手部
２０２４、２０２８  第１固定部
２０２５、２０２９  第１半田接続部
２１  第２端子
２１０  第２固持部
２１１  第２接触部
２１２  第２半田接続部
３  蓋体
３０  前蓋体
３０１  側壁
３０２  貫通孔
３０３  弾力ビーム
３０４  係合片
３０５  半田接続脚
３０６  前壁
３１  後蓋体
３１０  天壁
３１１  折壁
３１２  係合部
３２  第１内蓋体
３２０、３３１  弾力片
３２１、３３２  フランジ
３３  第２内蓋体
３３０  係合孔
４  定位部材
４１  定位溝
５０、６０、７０、９０  第１相手口
５１、６１，７１、９１  第２相手口
５１０、６１０  第２舌板
７１０  凸柱
７１１  端子孔
８０  第１本体
８０１  端子孔
８１  第２本体
８１０  収納穴
８２  第３本体
８２０  第１相手口
９１０  第２舌板
９１１  第２端子
【図１】
0004891294.tif 000002
【図２】
0004891294.tif 000003
【図３】
0004891294.tif 000004
【図４】
0004891294.tif 000005
【図５】
0004891294.tif 000006
【図６】
0004891294.tif 000007
【図７】
0004891294.tif 000008
【図８】
0004891294.tif 000009
【図９】
0004891294.tif 000010
【図１０】
0004891294.tif 000011
【図１１】
0004891294.tif 000012
【図１２】
0004891294.tif 000013
【図１３】
0004891294.tif 000014
【図１４】
0004891294.tif 000015
【図１５】
0004891294.tif 000016
【図１６】
0004891294.tif 000017